(57)【特許請求の範囲】
【請求項１】
互いに反対側に位置する一対の第一辺縁と、これらの第一辺縁とそれぞれ交差する一対の第二辺縁とで外周縁が形成され表側部と裏側部とが積層される掛け布団であって、
前記表側部は、表側地と、表側中間地と、前記表側地と前記表側中間地との間に収納された表側詰物体とを備え、前記表側詰物体を間に挟んで前記表側地及び前記表側中間地のみを貫通するキルト用糸で表側キルト線が形成され、
前記裏側部は、前記表側地とは反対側であって就寝者に近接する裏側地と、前記表側部と重ねられた裏側中間地と、前記裏側地と前記裏側中間地との間に収納された裏側詰物体とを備え、前記表側詰物体、前記表側中間地、前記裏側中間地及び前記裏側詰物体を挟んで前記表側地と前記裏側地とを貫通するキルト用糸で貫通キルト線が形成され、
前記表側キルト線は、前記表側部の前記第二辺縁の第二辺縁中心点同士を接続する中心線に沿って形成された中央部と前記中央部より前記第一辺縁側にそれぞれ位置する辺縁部とを区画する第一表側キルト線を有し、
前記貫通キルト線は、平面視で前記第一表側キルト線より前記第一辺縁側にそれぞれ配置された第一貫通キルト線と、前記第一貫通キルト線の間に配置され前記中心線と交差する方向に沿って形成された第二貫通キルト線と、前記第二貫通キルト線より前記一対の第二辺縁のうち一方の第二辺縁に近接して配置された第三貫通キルト線と、前記第二貫通キルト線より前記一対の第二辺縁のうち他方の第二辺縁に近接して配置された第四貫通キルト線と、を有する
ことを特徴とする掛け布団。
【請求項２】
請求項１に記載された掛け布団において、
前記第一表側キルト線は、前記中心線を挟んで互いに対向配置され、かつ、底部が前記中心線から離れるように凹状に湾曲した第一湾曲部を有し、
前記第三貫通キルト線は前記就寝者の首元を囲うように湾曲形成され、第四貫通キルト線は、前記就寝者の足元を囲うように湾曲形成された
ことを特徴とする掛け布団。
【請求項３】
請求項２に記載された掛け布団において、
前記表側キルト線は、前記側部と前記第一辺縁に接する辺縁部とを区画する第二表側キルト線を有し、
前記第二表側キルト線は、前記第一湾曲部と対向し前記第一湾曲部とは反対側に向けて湾曲する第二湾曲部と、前記第一表側キルト線と接続する接続部とを有し、
前記第一貫通キルト線は、平面視で第一湾曲部と前記第二湾曲部との間であって前記中心線を挟んでそれぞれ対向配置され前記第二湾曲部と同じ方向に向いて湾曲した第三湾曲部を有する
ことを特徴とする掛け布団。
【請求項４】
請求項１乃至請求項３のいずれか１項に記載された掛け布団において、
前記表側詰物体と前記裏側詰物体とはそれぞれ繊維から形成され、
前記表側地は、前記表側詰物体と対向する面が起毛された布帛である
ことを特徴とする掛け布団。
【請求項５】
請求項４に記載された掛け布団において、
前記裏側地はニットであり、前記裏側地と前記裏側詰物体との間に不織布が積層される
ことを特徴とする掛け布団。
【請求項６】
請求項１乃至請求項５のいずれか１項に記載された掛け布団の製造方法であって、
前記表側地と前記表側中間地との間に表側詰物体を収納して積層体を形成し、この積層体をキルト用糸で縫製して前記表側部を縫製する第一縫製工程と、
前記表側部の上に、前記裏側地と前記裏側中間地との間に裏側詰物体を収納して形成された積層体を積層し、前記裏側詰物体を間に挟んだ前記裏側地及び前記裏側中間地と、前記裏側中間地に積層された前記表側部とをキルト用糸で縫製する第二縫製工程とを備え、
前記第二縫製工程では、前記第一貫通キルト線と、前記第二貫通キルト線と、前記第三貫通キルト線と、前記第四貫通キルト線とがそれぞれ交差しないように縫製される
ことを特徴とする掛け布団の製造方法。
【発明の詳細な説明】
【技術分野】
【０００１】
本発明は、表側地と裏側地との間に綿等の詰物が収納された掛け布団及びその製造方法に関する。
【背景技術】
【０００２】
寝具としてキルト縫製で製造された掛け布団がある。キルト縫製は、表側地と裏側地との間に綿や羽毛等の詰物を収納し、詰物を間に挟んで、表側地と裏側地とをキルト用糸で縫い合わせものである。キルト用糸で縫い合わされた跡にはキルト線が平面視で形成されており、このキルト線で区画された領域毎に詰物が収納されることになる。そのため、キルト縫製で製造された掛け布団は、詰物の偏りが少なくなるので、保温性が向上する。
【０００３】
従来の掛け布団として、掛け布団の長さ方向の中心線に向かって膨らむ曲線状のキルティングをしたものがある（特許文献１）。
特許文献１の従来例では、身体を掛け布団に潜り込ませると、掛け布団の中央部が盛り上がる。掛け布団の中央部が盛り上がって側部が中央に引っ張られても、曲線状のキルティングによって、掛け布団が屈曲できるので、掛け布団の側部が身体側に引き寄せられて密着することになる。
【０００４】
他の従来の掛け布団として、表生地と裏生地とから袋状に形成された外側布地内の横幅方向を、就寝者の上にかけるための掛け部と両側部とに縦キルト線で区画し、縦キルト線を略つつみ状に形成したものがある（特許文献２）。
特許文献２の従来例では、掛け部の縦方向の両端端縁は、就寝者の腕部分又は脚部分が相当する部分であり、縦方向の中央部分は就寝者の胴部分が相当する部分である。特許文献２の従来例では、腕部分又は脚部分が相当する部分が胴部分に相当する部分より幅広に形成されているため、寝返りをうつ際に、腕部分や脚部分の動きを妨げることがなく、快適な睡眠を得られる。そして、特許文献２の従来例の掛け布団は、中布と表生地との間に形成された上層と、中布と裏生地との間に形成された下層との２層構造とされており、上層の縦キルト線と下層の縦キルト線とは平面視で互いにずれた位置に形成されている。
【先行技術文献】
【特許文献】
【０００５】
【特許文献１】特開２００３−３３９５０１号公報
【特許文献２】特開２００５−２０４８３８号公報
【発明の概要】
【発明が解決しようとする課題】
【０００６】
特許文献１で示される従来例では、就寝者との密着性が考慮されるに過ぎず、保温性は考慮されていない。さらに、特許文献１で示される従来例は、表裏の布地に綿等の詰物が収納されるという単層構造であるため、この点からも保温性に限界がある。
【０００７】
特許文献２で示される従来例では、縦キルト線を略つつみ状に形成したので、就寝者の寝返りによるずれを抑制することができても、就寝者と掛け布団との密着性が必ずしも十分とはいえない。しかも、特許文献２で示される従来例の掛け布団は、上層と下層との２層構造であるが、上層と下層とに形成される略つつみ形状の縦キルト線は相似形である。そのため、保温性は十分なものとは言えない。
【０００８】
本発明の目的は、就寝者との間の密着性がよく、保温性を向上することができる掛け布団及びその製造方法を提供することにある。
【課題を解決するための手段】
【０００９】
本発明の掛け布団は、互いに反対側に位置する一対の第一辺縁と、これらの第一辺縁とそれぞれ交差する一対の第二辺縁とで外周縁が形成され表側部と裏側部とが積層される掛け布団であって、前記表側部は、表側地と、表側中間地と、前記表側地と前記表側中間地との間に収納された表側詰物体とを備え、前記表側詰物体を間に挟んで前記表側地及び前記表側中間地のみを貫通するキルト用糸で表側キルト線が形成され、前記裏側部は、前記表側地とは反対側であって就寝者に近接する裏側地と、前記表側部と重ねられた裏側中間地と、前記裏側地と前記裏側中間地との間に収納された裏側詰物体とを備え、前記表側詰物体、前記表側中間地、前記裏側中間地及び前記裏側詰物体を挟んで前記表側地と前記裏側地とを貫通するキルト用糸で貫通キルト線が形成され、前記表側キルト線は、前記表側部の前記第二辺縁の第二辺縁中心点同士を接続する中心線に沿って形成された中央部と前記中央部より前記第一辺縁側にそれぞれ位置する辺縁部とを区画する第一表側キルト線を有し、前記貫通キルト線は、平面視で前記第一表側キルト線より前記第一辺縁側にそれぞれ配置された第一貫通キルト線と、前記第一貫通キルト線の間に配置され前記中心線と交差する方向に沿って形成された第二貫通キルト線と、前記第二貫通キルト線より前記一対の第二辺縁のうち一方の第二辺縁に近接して配置された第三貫通キルト線と、前記第二貫通キルト線より前記一対の第二辺縁のうち他方の第二辺縁に近接して配置された第四貫通キルト線と、を有することを特徴とする。
【００１０】
この構成の本発明では、就寝者は、首部が一対の第二辺縁の一方に位置し、足元が一対の第二辺縁の他方に近接するように掛け布団を掛ける。この状態では、第一辺縁が就寝者の脇及び足に沿うようになる。
就寝者の上に掛け布団が掛けられた状態では、掛け布団の全体の表裏面に形成される第一貫通キルト線に沿って掛け布団が屈曲し、就寝者の側部と掛け布団との間に隙間が生じない。さらに、第二貫通キルト線に沿って掛け布団が屈曲し、掛け布団が就寝者の身長に沿った凹凸に沿うものとなる。さらに、第三貫通キルト線によって、首元が確実に囲われることになり、首元と掛け布団との間に隙間が生じない。そして、第四貫通キルト線によって、足元が確実に囲われることになり、足元と掛け布団との間に隙間が生じない。
従って、貫通キルト線で区画された領域によって、就寝者と掛け布団とが密着することになり、保温性が保たれる。
しかも、本発明では、就寝者とは離れた位置にある表側部により、表側キルト線で中央部と辺縁部が区画される。そのため、表側部全体で就寝者全体を包み込むようになり、保温性が向上する。
【００１１】
本発明の掛け布団では、前記第一表側キルト線は、前記中心線を挟んで互いに対向配置され、かつ、底部が前記中心線から離れるように凹状に湾曲した第一湾曲部を有し、前記第三貫通キルト線は前記就寝者の首元を囲うように湾曲形成され、第四貫通キルト線は、前記就寝者の足元を囲うように湾曲形成された構成が好ましい。
この構成では、第三貫通キルト線が湾曲しているため、掛け布団の中央部が盛り上がっても、掛け布団が就寝者の首元に密着する。さらに、第四貫通キルト線が湾曲しているため、就寝者の足元が確実に囲われる。
その上、第一表側キルト線は、第一湾曲部を有するため、中央部に多くの詰物体を保持することができる。
【００１２】
本発明の掛け布団では、前記表側キルト線は、前記側部と前記第一辺縁に接する辺縁部とを区画する第二表側キルト線を有し、前記第二表側キルト線は、前記第一湾曲部と対向し前記第一湾曲部とは反対側に向けて湾曲する第二湾曲部と、前記第一表側キルト線と接続する接続部とを有し、前記第一貫通キルト線は、平面視で第一湾曲部と前記第二湾曲部との間であって前記中心線を挟んでそれぞれ対向配置され前記第二湾曲部と同じ方向に向いて湾曲した第三湾曲部を有する構成が好ましい。
この構成では、第一貫通キルト線が中心線に向けて凸となるように湾曲しているため、掛け布団の中央部が盛り上がっても、辺側部が就寝者側に引き寄せられることになり、掛け布団が就寝者の側面に密着する。
しかも、就寝者の直上には、第一表側キルト線によって区画された中央部があり、就寝者の両側近傍の上には、第二表側キルト線によって区画された側部があり、就寝者の両側横には第二表側キルト線によって区画された辺縁部がある。そのため、表側部全体で就寝者全体を包み込むようになり、保温性が向上する。
その上、第二表側キルト線は、中心線に向けて凸となるように湾曲する第二湾曲部を有するので、掛け布団の中央部が盛り上がっても、掛け布団が引き寄せられることになり、密着性が確保される。さらに、第二表側キルト線は第一表側キルト線と接続する接続部を有するため、第二表側キルト線が表側詰物体の周囲を囲うことになる。そのため、掛け布団の中央部が高く盛り上がったとしても、第二表側キルト線で囲われた表側詰物体は、側部に保持されたままとなり、保温性が損なわれない。
【００１３】
本発明の掛け布団では、前記表側詰物体と前記裏側詰物体とはそれぞれ繊維から形成され、前記表側地は前記表側詰物体と対向する面が起毛された布帛である構成が好ましい。
この構成では、表側地の表側詰物体と対向する面が起毛されているので、繊維から形成される表側詰物体との摩擦が大きくなる。そのため、表側地と表側中間地との間に収納された表側詰物体が表側地に対してずれることがない。
【００１４】
本発明の掛け布団では、前記裏側地はニットであり、前記裏側地と前記裏側詰物体との間に不織布が積層される構成が好ましい。
この構成では、裏側地はニットからなるので、掛け布団全体が容易に撓むことが可能となるので、この点からも、就寝者と掛け布団との間に隙間が生じにくいものとなる。ニットから構成される裏側地には裏側詰物体を構成する繊維が抜ける隙間が生じることもあるが、本発明では、裏側地と裏側詰物体との間に不織布が積層されているので、不織布によって、繊維が掛け布団の外に抜け出ることを防止できる。
【００１５】
本発明の掛け布団の製造方法は、前述の構成の掛け布団を製造する方法であって、前記表側地と前記表側中間地との間に表側詰物体を収納して積層体を形成し、この積層体をキルト用糸で縫製して前記表側部を縫製する第一縫製工程と、前記表側部の上に、前記裏側地と前記裏側中間地との間に裏側詰物体を収納して形成された積層体を積層し、前記裏側詰物体を間に挟んだ前記裏側地及び前記裏側中間地と、前記裏側中間地に積層された前記表側部とをキルト用糸で縫製する第二縫製工程とを備え、前記第二縫製工程では、前記第一貫通キルト線と、前記第二貫通キルト線と、前記第三貫通キルト線と、前記第四貫通キルト線とがそれぞれ交差しないように縫製されることを特徴とする。
この構成の本発明では、前述の効果を奏することができる掛け布団を製造することができる他、表側部の上に裏側部を配置し、その状態で、全体の縫製を行うので、掛け布団の製造を効率的に行うことができる。
さらに、キルト線同士が交差した状態で縫製されると、交差した箇所から伝線が生じやすくなるが、本発明では、第二縫製工程では、第一貫通キルト線と、第二貫通キルト線と、第三貫通キルト線と、第四貫通キルト線とがそれぞれ交差しないように縫製されるため、伝線が生じることを防止できる。
【図面の簡単な説明】
【００１６】
【図１】本発明の第１実施形態にかかる掛け布団の全体を表面から見た斜視図。
【図２】掛け布団の全体を裏面から見た斜視図。
【図３】掛け布団の全体を示す平面図。
【図４】掛け布団の全体を示す裏面図。
【図５】掛け布団の全体を示す側面図。
【図６】図５とは異なる方向から見た側面図。
【図７】図３のＡ−Ａ線に沿った断面図。
【図８】図３のＢ−Ｂ線に沿った断面図。
【図９】掛け布団の要部を示す断面図。
【図１０】掛け布団を製造する方法を説明する断面図。
【図１１】本発明の第２実施形態にかかる掛け布団の全体を示す平面図。
【図１２】掛け布団の全体を示す裏面図。
【発明を実施するための形態】
【００１７】
［第１実施形態］
本発明の第１実施形態を図面に基づいて説明する。
図１から図８には第１実施形態の全体構成が示されている。
図１から図８において、本実施形態の掛け布団は、長方形の外周縁１が形成され、表側部１０が裏側部２０の上に積層される二重構造である。外周縁１は縫製されている。
図１から図４において、外周縁１は、長辺方向に沿って形成され互いに反対側に位置する一対の第一辺縁１Ａと、第一辺縁１Ａとそれぞれ直交する一対の第二辺縁１Ｂとから形成される。なお、本実施形態では、掛け布団の使用にあたり、第一辺縁１Ａを就寝者（図示せず）の脇部や足に沿うようにし、第二辺縁１Ｂの一方（図３の上方）を就寝者の首元に位置させ、第二辺縁１Ｂの他方（図３の下方）を就寝者の足元に位置させる。ここで、足元の位置とは、就寝者が体をまっすぐにして横たわった際の足元の位置である。また、互いに反対側に位置する第二辺縁１Ｂの中心点をそれぞれ第二辺縁中心点１Ｃとし、これらの第二辺縁中心点１Ｃを結ぶ線を中心線Ｃとする。
【００１８】
図７及び図８において、表側部１０は、表側地１１と、表側中間地１２と、表側地１１と表側中間地１２との間に収納された表側詰物体１３とを備えて構成されている。
表側部１０は、表側詰物体１３を間に挟んで表側地１１及び表側中間地１２のみを貫通するキルト用糸Ｆで縫製されている。このキルト用糸Ｆで縫製された跡が表側部１０の平面及び裏面に表側キルト線Ｔとして形成されることになる（図１及び図３参照）。
図１及び図３に示される通り、表側キルト線Ｔは、表側部１０の中心線Ｃに沿って形成された中央部１０Ａと中央部１０Ａより第一辺縁側にそれぞれ位置する側部１０Ｂとを区画する第一表側キルト線Ｔ１と、側部１０Ｂと第一辺縁１Ａに接する辺縁部１０Ｃとを区画する第二表側キルト線Ｔ２とから構成される。
【００１９】
図３に詳細に示される通り、第一表側キルト線Ｔ１は、中心線Ｃを挟んで２本が互いに対向配置されている。これらの第一表側キルト線Ｔ１は、それぞれ中央部分に位置する第一湾曲部ｔ１１と、第一湾曲部ｔ１１の端部のうち就寝者の首元側に接続された曲線部ｔ１２と、第一湾曲部ｔ１１のうち就寝者の足側の端部に接続された直線部ｔ１３とから構成されている。
第一湾曲部ｔ１１は、中心線Ｃを挟んで互いに対向配置されており、かつ、底部が中心線Ｃから離れるように凹状に形成されている。
曲線部ｔ１２は、底部が就寝者の首元側から離れるように凹状に形成されている。
直線部ｔ１３は、第一湾曲部ｔ１１との接続部分から足元側の第二辺縁１Ｂに向かうに従って中心線Ｃから離れるように形成されている。
【００２０】
第二表側キルト線Ｔ２は、第一湾曲部ｔ１１と対向し第一湾曲部ｔ１１とは反対側に向けて湾曲する第二湾曲部ｔ２１と、第一表側キルト線Ｔ１と接続する接続部ｔ２２とからなる。
接続部ｔ２２は、曲線部ｔ１２の端部と第二湾曲部ｔ２１の一端部とを接続する第一接続部ｔ２２１と、直線部ｔ１３の端部と第二湾曲部ｔ２１の他端部とを接続する第二接続部ｔ２２２と、第一湾曲部ｔ１１の両端部と第二湾曲部ｔ２１の両端部とをそれぞれ接続する第三接続部ｔ２２３とから構成されている。
第一接続部ｔ２２１は、第一辺縁１Ａと平行に伸びる直線部に底部が外周縁１の角部から離れるように凹状に形成された湾曲部が接続された屈曲形状である。
第二接続部ｔ２２２は、第一辺縁１Ａと平行に伸びる直線部に底部が外周縁１の角部に向けて突出するように凸状に形成された湾曲部が接続された屈曲形状である。
第三接続部ｔ２２３は、底部が第二辺縁１Ｂに向けて突出する凸状に形成されている。
本実施形態では、側部１０Ｂは、第一湾曲部ｔ１１、第二湾曲部ｔ２１及び第三接続部ｔ２２３で区画される領域と、第三接続部ｔ２２３、曲線部ｔ１２及び第一接続部ｔ２２１で区画された領域と、第三接続部ｔ２２３、直線部ｔ１３及び第二接続部ｔ２２２で区画された領域とに分割される。なお、表側キルト線Ｔを構成する各線は、互いに交差するものではない。
【００２１】
図７及び図８において、裏側部２０は、裏側地２１と、表側部１０と重ねられた裏側中間地２２と、裏側地２１と裏側中間地２２との間に収納された裏側詰物体２３と、裏側地２１と裏側詰物体２３との間に配置された不織布２４（図９参照）とを備えて構成されている。なお、図７及び図８では、不織布２４の図示が省略されている。
裏側地２１は、表側地１１とは反対側であって就寝者に近接する位置に配置される。
表側部１０と裏側部２０とは表裏面の全体がキルト用糸Ｆで縫製される。つまり、表側詰物体１３、表側中間地１２、裏側中間地２２及び裏側詰物体２３を挟んで表側地１１と裏側地２１とがキルト用糸Ｆで貫通される。キルト用糸Ｆで縫製された跡が表側部１０の平面と裏側部２０の裏面とに貫通キルト線Ｑとして形成されることになる（図１から図４参照）。
【００２２】
図１から図４に示される通り、貫通キルト線Ｑは、平面視で第一湾曲部ｔ１１と第二湾曲部ｔ２１との間に配置される第一貫通キルト線Ｑ１と、第一貫通キルト線Ｑ１の間にそれぞれ配置された４本の第二貫通キルト線Ｑ２と、第二貫通キルト線Ｑ２より就寝者の首元側に配置される第三貫通キルト線Ｑ３と、第二貫通キルト線Ｑ２より就寝者の足元を囲うように湾曲形成された第四貫通キルト線Ｑ４とから構成される。第一貫通キルト線Ｑ１、第二貫通キルト線Ｑ２、第三貫通キルト線Ｑ３及び第四貫通キルト線Ｑ４は、互いに交差するものではなく、各々の間には所定の隙間が形成されている。
なお、表側地１１には表側キルト線Ｔと貫通キルト線Ｑとの双方が表示され、裏側地２１には貫通キルト線Ｑのみが表示される。
【００２３】
第一貫通キルト線Ｑ１は、中心線Ｃを挟んでそれぞれ対向配置されており、第二湾曲部ｔ２１と同じ方向に向いて湾曲した第三湾曲部ｑ１１と、第三湾曲部ｑ１１の一端から第三貫通キルト線Ｑ３に向けて延びる第一延長線部ｑ１２と、第三湾曲部ｑ１１の他端から第四貫通キルト線Ｑ４に向けて延びる第二延長線部ｑ１３と、第一延長線部ｑ１２の端部に接続される第三延長部ｑ１４と、第二延長線部ｑ１３の端部に接続される第四延長部ｑ１５とから構成される。
第三延長部ｑ１４は、基端が第一延長部ｑ１２に接続され第一接続部ｔ２２１と交差する線部と先端が第一辺縁１Ａに向いた線部とを有する平面逆Ｌ形形状である。第四延長部ｑ１５は、基端が第二延長線部ｑ１３に接続され第二接続部ｔ２２２と交差する線部と先端が第一辺縁１Ａに向いた線部とを有する平面Ｌ形形状である。
４本の第二貫通キルト線Ｑ２は、それぞれ中心線Ｃと交差する方向に沿って形成され、かつ、互いに所定間隔離して配置されている。４本の第二貫通キルト線Ｑ２のうちそれぞれ第一辺縁１Ａに近い位置にある２本の第二貫通キルト線Ｑ２は、第三接続部ｔ２２３と同じ円弧上にある。第三接続部ｔ２２３と第二貫通キルト線Ｑ２との間には隙間がある。
４本の第二貫通キルト線Ｑ２のうち残り２本の第二貫通キルト線Ｑ２は、平面視において、それぞれ第一表側キルト線Ｔ１と交差し、かつ、互いに反対側に湾曲している。
第三貫通キルト線Ｑ３は、第二貫通キルト線Ｑ２より一方の第二辺縁１Ｂに近接して配置されており、就寝者の首元を囲うように円弧状に形成されている。
第四貫通キルト線Ｑ４は、第二接続部ｔ２２２と同じ円弧上にある。第二接続部ｔ２２２と第四貫通キルト線Ｑ４との間には隙間がある。
【００２４】
掛け布団の断面構造の詳細を図９に基づいて説明する。
図９において、表側地１１は、表側詰物体１３と対向する面が起毛された布帛である。布帛として、レーヨン４０％、綿３０％、ポリエステル３０％の布帛を例示できる。
裏側地２１はニットであり、ニットは、ポリエステル１００％のニットを例示できる。
表側詰物体１３と裏側詰物体２３とはそれぞれ繊維、例えば、ポリエステル１００％の繊維等から形成される。
本実施形態では、表側詰物体１３を構成する繊維として、３次元クリンプで「ふっくらさ」と「嵩高性」に優れた繊維を例示できる。３次元クリンプであるため、表側詰物体１３に空気を含むことになり、暖かさと気密性を保つことができる。
裏側詰物体２３を構成する繊維として、伸縮性の優れた柔らかい綿を例示できる。この繊維として、例えば、帝人株式会社製のソロテックス（登録商標）を例示できる。
表側中間地１２及び裏側中間地２２は、それぞれ不織布から形成されている。これらの不織布と不織布２４とは同じ材質から形成されてもよい。
【００２５】
掛け布団の製造方法を図１０に基づいて説明する。
［第一縫製工程］
まず、図１０（Ａ）に示される通り、表側地１１と表側中間地１２との間に表側詰物体１３を収納して積層体を形成し、この積層体をキルト用糸Ｆで縫製して表側部１０を縫製する。そのため、表側地１１の上に表側詰物体１３を配置し、その上に、表側中間地１２を配置し、この状態で、図示しないソーイングマシーンで縫製作業を行う。なお、当該積層体の外周縁は表側詰物体１３を収納した後に縫製しておく。
第一縫製工程を実施する際、表側部１０の表裏面に、第一表側キルト線Ｔ１と、第二表側キルト線Ｔ２とが形成されるが、これらの第一表側キルト線Ｔ１と第二表側キルト線Ｔ２とが交差しないようする。
【００２６】
［第二縫製工程］
その後、図１０（Ｂ）に示される通り、表側部１０の上に、裏側地２１と裏側中間地２２との間に裏側詰物体２３を収納して形成された積層体を積層し、裏側詰物体２３を間に挟んだ裏側地２１及び裏側中間地２２と、裏側中間地２２に積層された表側部１０とを前述のソーイングマシーンで縫製作業をする。なお、裏側地２１、裏側中間地２２及び裏側詰物体２３は裏側部２０を構成するものであり、これらの外周縁を適宜縫製する。
第二縫製工程では、第一貫通キルト線Ｑ１と、第二貫通キルト線Ｑ２と、第三貫通キルト線Ｑ３と、第四貫通キルト線Ｑ４とがそれぞれ交差しないようにする。
【００２７】
従って、本実施形態では、次の作用効果を奏することができる。
（１）表側キルト線Ｔは、表側部１０の中心線Ｃに沿って形成された中央部１０Ａと辺縁部１０Ｃとを区画する第一表側キルト線Ｔ１から形成される。そのため、就寝者の直上には、第一表側キルト線Ｔ１によって区画された中央部１０Ａがあり、就寝者の両側横には辺縁部１０Ｃがあるため、表側部１０の全体で就寝者全体を包み込むようになり、保温性が向上する。
【００２８】
（２）第一表側キルト線Ｔ１は、中心線Ｃを挟んで互いに対向配置され凹状に湾曲した第一湾曲部ｔ１１を有する。第一湾曲部ｔ１１により、中央部１０Ａに多くの表側詰物体１３を保持することができるので、この点からも保温性が向上する。
【００２９】
（３）貫通キルト線Ｑは、平面視で第一表側キルト線Ｔ１より第一辺縁１Ａ側にそれぞれ配置された第一貫通キルト線Ｑ１と、中心線Ｃと交差する方向に沿って形成された第二貫通キルト線Ｑ２と、就寝者の首元を囲うように湾曲形成された第三貫通キルト線Ｑ３と、就寝者の足元を囲うように湾曲形成された第四貫通キルト線Ｑ４と、を備えている。そのため、掛け布団の全体の表裏面に形成される第一貫通キルト線Ｑ１に沿って掛け布団が屈曲し、就寝者の側部と掛け布団との間に隙間が生じない。さらに、第二貫通キルト線Ｑ２に沿って掛け布団が屈曲し、掛け布団が就寝者の身長に沿った凹凸に沿うものとなる。さらに、第三貫通キルト線Ｑ３によって、首元が確実に囲われることになり、首元と掛け布団との間に隙間が生じない。第四貫通キルト線Ｑ４によって、足元が確実に囲われることになり、足元と掛け布団との間に隙間が生じない。しかも、第三貫通キルト線Ｑ３が湾曲しているため、掛け布団の中央部が盛り上がっても、掛け布団が就寝者の首元に密着する。さらに、第四貫通キルト線Ｑ４が湾曲しているため、就寝者の足元が確実に囲われる。
【００３０】
（４）側部１０Ｂと辺縁部１０Ｃとが第二表側キルト線Ｔ２で区画されているから、この点からも、表側部１０の全体で就寝者全体を包み込むようになり、保温性が向上する。しかも、第二表側キルト線Ｔ２は、第一湾曲部ｔ１１と対向し第一湾曲部ｔ１１とは反対側に向けて湾曲する第二湾曲部ｔ２１と、第一表側キルト線Ｔ１と接続する接続部ｔ２２とから形成される。第二湾曲部ｔ２１は、中心線Ｃに向けて凸となるように湾曲するので、掛け布団の中央部が盛り上がっても、掛け布団が引き寄せられることになり、密着性が確保される。接続部ｔ２２により、第二表側キルト線Ｔ２が表側詰物体１３の周囲を囲うことになるため、掛け布団の中央部が高く盛り上がったとしても、第二表側キルト線Ｔ１２で囲われた表側詰物体１３が側部に保持されたままとなり、保温性が損なわれない。
【００３１】
（５）第一貫通キルト線Ｑ１は、第三貫通キルト線Ｑ３に向けて延びる第一延長線部ｑ１２と、第四貫通キルト線Ｑ４に向けて延びる第二延長線部ｑ１３と、第一延長線部ｑ１２の端部に接続される第三延長部ｑ１４と、第二延長線部ｑ１３の端部に接続される第四延長部ｑ１５とを備えている。第三延長部ｑ１４は、第一接続部ｔ２２１と交差する線部と先端が第一辺縁１Ａに向いた線部とを有する平面逆Ｌ形形状である。第四延長部ｑ１５は、第二接続部ｔ２２２と交差する線部と先端が第一辺縁１Ａに向いた線部とを有する平面Ｌ形形状である。そのため、キルトによる抑え部分を増加させることで、表側詰物体１３や裏側詰物体２３を構成する綿等が切断されることを防止でき、耐洗濯性が向上する。
【００３２】
（６）表側地１１は、表側詰物体１３と対向する面が起毛された布帛であるので、繊維等から形成される表側詰物体との摩擦が大きくなり、表側地１１と表側中間地１２との間に収納された表側詰物体１３が表側地１１に対してずれることがない。そのため、使用中に表側詰物体１３が偏ったりすることを防止できる。
【００３３】
（７）裏側地２１はニットからなるので、掛け布団全体が容易に撓むことが可能となるので、この点からも、就寝者と掛け布団との間に隙間が生じにくいものとなる。しかも、裏側地２１と裏側詰物体２３との間に不織布２４が積層されているので、不織布２４によって、裏側詰物体２３を形成する繊維が掛け布団の外に抜け出ることを防止できる。
【００３４】
（８）表側地１１と表側中間地１２との間に表側詰物体１３を収納し、これらをキルト用糸Ｆで縫製して表側部１０を製造し、その後、表側部１０の上に、裏側地２１と裏側中間地２２との間に裏側詰物体２３を収納したものを積層し、これらをキルト用糸Ｆで縫製して掛け布団を製造する。そのため、表側部の上に裏側部を配置し、その状態で、全体の縫製を行うので、掛け布団の製造を効率的に行うことができる。しかも、第一表側キルト線Ｔ１と、第二表側キルト線Ｔ２とを交差しないように縫製し、第一貫通キルト線Ｑ１と、第二貫通キルト線Ｑ２と、第三貫通キルト線Ｑ３と、第四貫通キルト線Ｑ４とがそれぞれ交差しないように縫製するので、伝線が生じることを防止できる。
【００３５】
［第２実施形態］
次に、本発明の第２実施形態を図１１及び図１２に基づいて説明する。
第２実施形態は、表面キルト線Ｔ及び貫通キルト線Ｑの平面形状が第１実施形態とは異なるもので、他の構成は第１実施形態と同じである。第２実施形態では、第１実施形態と同一構成要素は同一符号を付して説明を省略する。
図１１及び図１２において、表側キルト線Ｔは、第一表側キルト線Ｔ１と、第一表側キルト線Ｔ１より第一辺縁１Ａ側に位置する第三表側キルト線Ｔ３とから構成されている。
第三表側キルト線Ｔ３は、一端が第一表側キルト線Ｔ１の第一湾曲部ｔ１１と曲線部ｔ１２との接続部分の近傍に位置し、他端が第一辺縁１Ａに向けて位置する。
【００３６】
貫通キルト線Ｑは、第一貫通キルト線Ｑ１、第二貫通キルト線Ｑ２、第三貫通キルト線Ｑ３及び第四貫通キルト線Ｑ４の他に、第五貫通キルト線Ｑ５を備えている。
第一貫通キルト線Ｑ１は、それぞれ第三表側キルト線Ｔ３より第一辺縁１Ａに配置されている。これらの第一貫通キルト線Ｑ１は、第一辺縁１Ａの長さ方向に沿って互いに離れて配置されている。
第五貫通キルト線Ｑ５は、第一表側キルト線Ｔ１を構成する第一湾曲部ｔ１１より、第一辺縁１Ａ側にそれぞれ３本ずつ配置されている。第五貫通キルト線Ｑ５は第二辺縁１Ｂに平行に伸びて形成されている。
【００３７】
第２実施形態における掛け布団の断面構造及び製造方法は第１実施形態と同じである。
第２実施形態では、第１実施形態の（１）（２）（５）〜（８）と同様の効果を奏することができる他、次の効果を奏することができる。
（９）貫通キルト線Ｑは、第二辺縁１Ｂに平行に伸びて形成された複数の第五貫通キルト線Ｑ５を備えているので、第五貫通キルト線Ｑ５に沿って掛け布団が屈曲し、掛け布団が就寝者の身長に沿った凹凸に沿うものとなる。そのため、保温性がより高いものとなる。
【００３８】
なお、本発明は前述の各実施形態に限定されるものではなく、本発明の目的を達成できる範囲での変形、改良等は本発明に含まれるものである。
例えば、前記実施形態では、表側地１１を起毛された布帛から構成したが、本発明では、必ずしも起毛させることを要しない。仮に、起毛させる場合でも、表側詰物体１３と対向する面に限定されるものではなく、装飾を考慮して表面に形成してもよい。
しかも、本発明では、裏側地２１をニットから形成することを要せず、表側部１０と同様の構成としてもよい。
さらに、表側詰物体１３と裏側詰物体２３とは羽毛から構成するものでもよく、両者の材質を同じにしてもよい。
また、本発明では、第一表側キルト線Ｔ１は、必ずしも中心線Ｃを挟んで互いに対向配置された構成に限定されるものではなく、第一表側キルト線Ｔ１をそれぞれ半分の長さとし、一方の第一表側キルト線を首元側に配置し、他方の第一表側キルト線を足元側に配置した構成としてもよい。さらに、第一表側キルト線Ｔ１は直線状に形成してもよく、あるいは、蛇行した形状としてもよい。凹状に湾曲させる場合であっても、底部が中心線Ｃに近接する構成としてもよい。
さらに、第三貫通キルト線Ｑ３と第四貫通キルト線Ｑ４との少なくとも一方は、直線状に形成するものであってもよい。
また、第１実施形態では、第三延長部ｑ１４及び第四延長部ｑ１５を必ずしも設けることを要しない。
【産業上の利用可能性】
【００３９】
本発明は、寝具に利用することができる。
【符号の説明】
【００４０】
１…外周縁、１Ａ…第一辺縁、１Ｂ…第二辺縁、１Ｃ…第二辺縁中心点、１０…表側部、１０Ａ…中央部、１０Ｂ…側部、１０Ｃ…辺縁部、１１…表側地、１２…表側中間地、１３…表側詰物体、２０…裏側部、２１…裏側地、２２…裏側中間地、２３…裏側詰物体、２４…不織布、Ｃ…中心線、Ｆ…キルト用糸、Ｑ…貫通キルト線、Ｑ１…第一貫通キルト線、Ｑ２…第二貫通キルト線、Ｑ３…第三貫通キルト線、Ｑ４…第四貫通キルト線、ｑ１１…第三湾曲部、Ｔ…表側キルト線、Ｔ１…第一表側キルト線、Ｔ２…第二表側キルト線、ｔ１１…第一湾曲部、ｔ１２…曲線部、ｔ１３…直線部
【図１】
0006412413.tif 000002
【図２】
0006412413.tif 000003
【図３】
0006412413.tif 000004
【図４】
0006412413.tif 000005
【図５】
0006412413.tif 000006
【図６】
0006412413.tif 000007
【図７】
0006412413.tif 000008
【図８】
0006412413.tif 000009
【図９】
0006412413.tif 000010
【図１０】
0006412413.tif 000011
【図１１】
0006412413.tif 000012
【図１２】
0006412413.tif 000013